(57)【特許請求の範囲】
【請求項１】
手を挿入する開口部と、開口部付近に設けた噴流を噴出する噴出ノズルを有する略閉空間とした乾燥室と、噴出ノズルに気流を送風する電動送風機と、乾燥室を流れた気流を排出する乾燥室の後面に設けた乾燥室出口と、乾燥室出口と電動送風機とを接続し発熱板を有するリターン通路とを備え、前記発熱板により前記リターン通路内に溜まった水滴を蒸発させることを特徴とする手乾燥装置。
【請求項２】
発熱板は、リターン通路の全面に設けた請求項１に記載した手乾燥装置。
【発明の詳細な説明】
【０００１】
【発明の属する技術分野】
本発明は、洗面所やトイレ・キッチン等で使用する手乾燥装置に関するものである。
【０００２】
【従来の技術】
以下、図７に基づいて従来の手乾燥装置について説明する。洗った後の濡れた手を送風口２にかざすと、ヒータ３によって温められた送風機４による送風が当たって、この温風による蒸発効果によって、手を乾燥させるものである。このとき、使用者が濡れ手１を揉むようにすると、濡れ手１に程良く温風が当たって、乾燥度を上げることが出来る。
【０００３】
【発明が解決しようとする課題】
前記従来の構成の手乾燥装置は、送風機による送風が手に当たって、乾燥時に周辺に水滴をまき散らすという課題を有している。
【０００４】
【課題を解決するための手段】
本発明は、電動送風機による送風気流を高速で乾燥室に吹き付け、乾燥室から電動送風機に戻す環流構成として、手から跳ばした水滴を外部にまき散らさない手乾燥装置としている。
【０００５】
【発明の実施の形態】
請求項１に記載した発明は、電動送風機によって送風した気流を噴出ノズルから高速で噴出し、乾燥室に挿入した手に付着している水滴を高速で剥離し、剥離した水滴は略閉空間とした乾燥室内で処理して外部にまき散らさないとともに、リターン通路に設けた発熱板による加熱で、リターン通路に溜まった水滴を蒸発させ、水滴を回収処理する特別な装置が不要の小型化した手乾燥装置としている。
【０００６】
請求項２に記載した発明は、発熱板をリターン通路の全面に設けて、リターン通路中の水滴の処理が確実にでき、水滴を回収処理する特別な装置が不要の小型化した、また水滴を周辺にまき散らすことのない手乾燥装置としている。
【０００７】
【実施例】
（実施例１）
以下、本発明の実施例について図面を参照しながら説明する。図１は、本実施例の手乾燥装置の構成を示す部分透過斜視図である。筺体１３内には電動送風機５と、前面を開口部７とした濡れ手１２を挿入する乾燥室６とを設けている。乾燥室６の開口部７付近には、電動送風機５が送風した気流を乾燥室６内に高速で吹き出す噴出ノズル８を設けている。すなわち、電動送風機５と噴出ノズル８との間には送風経路を設けているものである。乾燥室６の奥には、噴出ノズル８から噴出した気流の出口として作用する乾燥室出口９を設けている。乾燥室出口９は、電動送風機５からの距離が最も遠い位置に設けているものである。乾燥室出口９は、乾燥室９から出た気流を電動送風機５に案内するリターン通路１０に接続されている。このリターン通路１０は、乾燥室出口９の位置が電動送風機５からの距離が最も遠くなる位置に配置しているため、最長の設定となっているものである。乾燥室６は、前面が濡れ手１２を挿入する開口部８となっているだけの略閉空間の構成となっているものである。
【０００８】
以下本実施例の動作について説明する。乾燥室６内に濡れ手１２を挿入すると、図示していないセンサが働いて、電動送風機５が送風を開始する。電動送風機５が送風する気流は、送風経路を通って噴出ノズル８から高速で吹き出される。従って乾燥室６の前面の開口部７から挿入した濡れ手１２の表面には、この高速噴流が衝突する。濡れ手１２の水滴はこの高速噴流によって引き剥がされ、濡れ手１２は短時間で乾燥する。濡れ手１２から水滴を引き剥がした高速噴流は、乾燥室出口９を通ってリターン通路１０から電動送風機５に環流する。つまり、電動送風機５は開口部７から吸引した空気を、還流しているものである。使用者が、手１２を乾燥室６から抜き出すと、センサがこれを検知して電動送風機５は送風を停止する。
【０００９】
このとき濡れ手１２から吹き飛ばした水滴は、乾燥室６が略閉空間の構成となっていることと、噴出ノズル８から噴出される気流が乾燥室６の奥に設けている乾燥室出口９に向かうため、乾燥室６の前面に飛散することはないものである。
【００１０】
またこの水滴は、乾燥室６の内壁に付着したり、リターン通路１０内に付着したりするものである。乾燥室６の内壁に付着した水滴は、噴出ノズル８からの高速噴流によって短時間で蒸発する。またリターン通路１０内に付着した水滴は、電動送風機５に還流する気流の接触と、電動送風機５の発熱等が水滴を蒸発させる処理手段として作用するため、同様に蒸発するものである。
【００１１】
以上のように本実施例によれば、乾燥室６を略閉空間として電動送風機５の送風機流が乾燥室６と電動送風機５との間を還流する構成としているため、手から剥離した水滴を外部にまき散らさない手乾燥装置を実現するものである。
【００１２】
また、図２は本実施例の構成を示す断面図である。本実施例では、リターン通路１０内に発熱板１３を設けているものである。発熱板１３は、基板上にヒータを設けた構成としており、乾燥室出口９に対向する位置に設けている。
【００１３】
手１２から引き剥がされた水滴は、噴出ノズル８から噴出する高速気流によって、乾燥室６内に付着したり、リターン通路１０に溜まったりする。乾燥室６内に付着した水滴は、頻繁に高速気流に曝されるため、非常に短時間で蒸発するものである。本実施例では、リターン通路１０の乾燥室出口９に対向する位置に発熱板１３を設けているものである。従って発熱板１３を通電することによって、リターン通路１０内に溜まった水滴は短時間で蒸発するものである。もちろんリターン通路１０内に溜まる水滴の大部分は、乾燥室出口９に対向する位置、つまり発熱板１３を配置している位置となるものである。
【００１４】
以上のように本実施例によれば、水滴が外部に飛散しないと共に、リターン通路１０の乾燥室出口９に対向する位置に発熱板１３を設けるだけの簡単な構成で、水滴を集めて処理する構成が不要な、小型化した手乾燥装置を実現できるものである。
【００１５】
（実施例２）
次に本発明の第２の実施例について説明する。図３は本実施例の構成を示す断面図である。本実施例では、実施例１で説明した発熱板を１４として示しているように、リターン通路１０の乾燥室出口９から電動送風機の吸気口１１に至るまでの全面に設けているものである。
【００１６】
以上の構成とすることによって、リターン通路１０内の水滴の処理がより確実にできるものである。
【００１７】
【発明の効果】
請求項１に記載した発明は、手を挿入する開口部と、開口部付近に設けた噴流を噴出する噴出ノズルを有する略閉空間とした乾燥室と、噴出ノズルに気流を送風する電動送風機と、乾燥室を流れた気流を排出する乾燥室の後面に設けた乾燥室出口と、乾燥室出口と電動送風機とを接続し発熱体を有するリターン通路とを備えた構成として、発熱板による加熱でリターン通路に溜まった水滴を蒸発でき、水滴を回収処理する特別な装置が不要の小型化した、また水滴を周辺にまき散らすことのない手乾燥装置を実現するものである。
【００１８】
請求項２に記載した発明は、発熱板は、リターン通路の全面に設けた構成として、リターン通路中の水滴の処理が確実にでき、水滴を回収処理する特別な装置が不要の小型化した、また水滴を周辺にまき散らすことのない手乾燥装置を実現するものである。
【図面の簡単な説明】
【図１】  本発明の第１の実施例である手乾燥装置の構成を示す部分透過斜視図
【図２】  本発明の第１の実施例である手乾燥装置の構成を示す断面図
【図３】  本発明の第２の実施例である手乾燥装置の構成を示す断面図
【図4】  従来の手乾燥装置の構成を示す断面図
【符号の説明】
５  電動送風機
６  乾燥室
７  開口部
８  噴出ノズル
９  乾燥室出口
１０  リターン通路
１１  送風機の吸気口
１３  発熱板
１４  発熱板
【図１】
0003820689.tif 000002
【図２】
0003820689.tif 000003
【図３】
0003820689.tif 000004
【図４】
0003820689.tif 000005